(57)【要約】【課題】容易に防水構造を構築することが可能な防水コネクタの製造方法を提供すること。【解決手段】コネクタ本体（ＪＣ）とこのコネクタ本体を防水するための防水体（５０）とを備えた防水コネクタ（１）の製造方法であって、第一シート体（５２Ａ）と、コネクタ本体及びこれにつながる電線の端部（１０ａ）と、接着剤層と、第二シート体（５２Ｂ）とを重ね合わせる重ね合わせ工程と、その表面に溝を有する第一金型と、第二金型とを用い、第一金型及び第二金型によって両シート体を熱プレスすることにより、両シート体における第一金型と第二金型とに挟まれた部分同士を相互に密着させるとともに、接着剤を溝側へ押し付けて溝の形状に対応する形状に膨出する膨出部を第一シート体に形成する膨出部形成工程と、膨出部（５８）が電線を連続的に横断する形状を有するかどうかを確認することによって膨出部のシールの合否を判定する判定工程とを含むこと。【選択図】図２
2013134964.tif 000002
【特許請求の範囲】
【請求項１】
コネクタ本体とこのコネクタ本体を防水するための防水体とを備えた防水コネクタの製造方法であって、
第一シート体と、コネクタ本体及びこれにつながる電線の端部と、前記コネクタ本体及びこれにつながる電線の端部を取り囲む形状を有する接着剤層と、前記第一シート体とともに防水体を構成する第二シート体とを、前記コネクタ本体及びこれにつながる電線の端部の周囲において前記接着剤層を介して前記第一シート体と前記第二シート体とが接触可能となるように重ね合わせる重ね合わせ工程と、
その表面に、前記電線を横断するとともに、両シート体の積層方向において前記接着剤層のうちの前記電線を横断する部分と重なる位置に形成された溝を有する第一金型と、前記溝を含みかつ前記接着剤層が形成された領域をプレス可能な第二金型とを用い、前記接着剤層のうちの前記電線を横断する部分と前記溝とが前記両シート体の積層方向に重なる状態で前記第一金型及び前記第二金型によって前記両シート体を熱プレスすることにより、前記両シート体における前記第一金型と前記第二金型とに挟まれた部分同士を相互に密着させるとともに、接着剤を前記溝側へ押し付けて前記溝の形状に対応する形状に膨出する膨出部を前記第一シート体に形成する膨出部形成工程と、
前記膨出部形成工程の後、前記膨出部が前記電線を連続的に横断する形状を有するかどうかを確認することによって、前記膨出部のシールの合否を判定する判定工程と、を含む防水コネクタの製造方法。
【請求項２】
請求項１に記載の防水コネクタの製造方法において、
前記膨出部形成工程では、前記第一金型として、前記溝が、前記コネクタ本体及びこれにつながる電線の端部を取り囲むとともに、両シート体の積層方向において前記接着剤層と重なる位置に形成されたものを用い、前記接着剤層と前記溝とが前記両シート体の積層方向に重なる状態で前記第一金型及び前記第二金型によって前記両シート体を熱プレスし、
前記判定工程は、前記膨出部が前記コネクタ本体及びこれにつながる電線の端部を取り囲む形状を有するかどうかを確認することによって行われる防水コネクタの製造方法。
【請求項３】
請求項１又は２に記載の防水コネクタの製造方法において、
前記第二金型として、前記両シート体を熱プレスするときに前記第一金型の溝と対向する部分に形成された溝を有するものを用いる防水コネクタの製造方法。
【請求項４】
請求項１ないし３のいずれかに記載の防水コネクタの製造方法において、
前記第一金型又は前記第二金型の少なくとも一方の金型として、当該金型における前記電線と対向する部分にこの電線の外形に沿う形状の電線用凹部を有するものを用いる防水コネクタの製造方法。
【請求項５】
コネクタ本体とこのコネクタ本体を防水するための防水体とを備えた防水コネクタであって、
前記防水体は、第一シート本体層と、この第一シート本体層との間で前記コネクタ本体及びこれにつながる電線の端部を被覆するように当該第一シート本体層に重ね合わされた第二シート本体層と、前記第一シート本体層と前記第二シート本体層との間に介在し、前記コネクタ本体及びこれにつながる電線の端部を取り囲む形状を有する接着剤層とからなり、両シート本体層の積層方向において前記接着剤層と重なる形状を有し、両シート本体層が互いに密着されてその内部をシール可能なシール部を有し、このシール部は、少なくとも前記電線を横断する部分に形成されており前記両シート本体層間に接着剤が満たされて外側に膨出した膨出部を含む防水コネクタ。
【請求項６】
請求項５に記載の防水コネクタであって、
前記膨出部は、前記コネクタ本体及びこれにつながる電線の端部を取り囲む形状を有する防水コネクタ。
【発明の詳細な説明】
【技術分野】
【０００１】
本発明は、コネクタ本体とこのコネクタ本体を防水する防水体とを有する防水コネクタの製造方法及び防水コネクタに関するものである。
【背景技術】
【０００２】
従来、コネクタ本体とこのコネクタ本体を防水するための防水体とを有する防水コネクタが知られている。例えば特許文献１には、コネクタ本体と、このコネクタ本体につながる電線と、これらコネクタ本体及び電線の端部を防水するための防水体であって弾性材料からなり袋状を呈するコネクタカバーとを有する防水コネクタが開示されている。また、当該文献１には、防水コネクタを製造する方法として、コネクタカバーの開口側端部から拡張用治具を差し込んでこの開口側を拡げた状態で当該コネクタカバー内にコネクタ本体を挿入し、当該コネクタカバーの開口側端部をその弾性復帰力を利用してコネクタ本体につながる電線の端部に密着させることが記載されている。
【先行技術文献】
【特許文献】
【０００３】
【特許文献１】特開平０６−１２４７４６号公報
【発明の概要】
【発明が解決しようとする課題】
【０００４】
前記特許文献１に記載される方法では、コネクタカバーの開口側端部をその弾性復帰力のみによって電線に密着させんとするものであることから、複数本の電線全てに対してコネクタカバーの開口側端部を確実に密着させるには、相当の弾性復帰力が必要であり、このような弾性復帰力を得ることは容易でない。当該弾性復帰力を得るには、コネクタカバーの自然開口径（弾性変形していない状態での径）をジョイントコネクタの最大外径よりもかなり小さく設定しなければならず、このことは、当該コネクタカバー内へのジョイントコネクタの挿入作業を非常に煩わしいものにする。すなわち、作業者は特別な治具等を用いて前記コネクタカバーの開口を非常に大きな力で強制的に拡張させなければならない。また、このような作業の自動化もきわめて困難である。
【０００５】
前記のような難しい作業を避けながら前記コネクタカバーの電線への密着をより確実にする方法として、前記弾性復帰力だけでなく、例えば粘着テープといった補助的な部材を併用することが考えられるが、このような補助的部材の併用は、著しい工数の増加及び構造の複雑化を招く。
【０００６】
また、製造後においては、防水構造が確立されているかの確認を可能にすることも重要な課題である。
【０００７】
本発明は、このような事情に鑑み、容易に防水構造の構築及びその検査が可能な防水コネクタの製造方法を提供することを目的とする。
【課題を解決するための手段】
【０００８】
前記課題を解決するための手段として、本発明は、コネクタ本体とこのコネクタ本体を防水するための防水体とを備えた防水コネクタの製造方法であって、第一シート体と、コネクタ本体及びこれにつながる電線の端部と、前記コネクタ本体及びこれにつながる電線の端部を取り囲む形状を有する接着剤層と、前記第一シート体とともに防水体を構成する第二シート体とを、前記コネクタ本体及びこれにつながる電線の端部の周囲において前記接着剤層を介して前記第一シート体と前記第二シート体とが接触可能となるように重ね合わせる重ね合わせ工程と、その表面に、前記電線を横断するとともに、両シート体の積層方向において前記接着剤層のうちの前記電線を横断する部分と重なる位置に形成された溝を有する第一金型と、前記溝を含みかつ前記接着剤層が形成された領域をプレス可能な第二金型とを用い、前記接着剤層のうちの前記電線を横断する部分と前記溝とが前記両シート体の積層方向に重なる状態で前記第一金型及び前記第二金型によって前記両シート体を熱プレスすることにより、前記両シート体における前記第一金型と前記第二金型とに挟まれた部分同士を相互に密着させるとともに、接着剤を前記溝側へ押し付けて前記溝の形状に対応する形状に膨出する膨出部を前記第一シート体に形成する膨出部形成工程と、前記膨出部形成工程の後、前記膨出部が前記電線を連続的に横断する形状を有するかどうかを確認することによって、前記膨出部のシールの合否を判定する判定工程と、を含む防水コネクタの製造方法を提供する。
【０００９】
この発明の防水コネクタの製造方法によれば、前記第一シート体と前記第二シート体との間に前記コネクタ本体及びこれにつながる電線の端部と前記接着剤層とが配置されるようにこれらが重ね合わされて、前記第一金型における溝と前記接着剤層のうちの前記電線を横断する部分とが重なる状態で前記第一金型及び前記第二金型によって前記両シート体を熱プレスすることにより、前記第一シート体に前記膨出部を形成した後、この膨出部が前記電線を横断する形状を有するかどうかを確認するという簡便な工程で、前記膨出部のシールの合否の判定が可能な防水コネクタを製造することができる。すなわち、このようにして製造された防水コネクタによれば、前記膨出部が前記電線を連続して横断する形状を有していれば、その膨出部に沿って接着剤も連続しているから当該膨出部のシールは十分であると判断することができ、逆に、前記膨出部が、例えば前記電線を完全に横断することなく途中で途切れていれば、当該膨出部のシールは不十分であるとの判断が可能である。この防水コネクタでは、前記両シート体と前記電線とが重なる部分のシールが最も困難となるので、この部分のシールが十分であると確認されれば、基本的にその他の部分のシールは十分であるとの推定が可能となる。つまり、この製造方法により製造された防水コネクタについては、前記膨出部の外観を確認するだけで、簡便なシール検査が可能となる。したがって、従来のように、袋状の防水体の開口を専用の治具で強制的に拡開しながら当該防水体内にコネクタ本体を挿入するといった面倒な作業は不要であり、作業者の負担の少ない工程で防水コネクタの製造が達成され、また、防水コネクタの製造後においては、その防水構造の検査も簡略化される。
【００１０】
この方法では、前記膨出部形成工程では、前記第一金型として、前記溝が、前記コネクタ本体及びこれにつながる電線の端部を取り囲むとともに、両シート体の積層方向において前記接着剤層と重なる位置に形成されたものを用い、前記接着剤層と前記溝とが前記両シート体の積層方向に重なる状態で前記第一金型及び前記第二金型によって前記両シート体を熱プレスし、前記判定工程は、前記膨出部が前記コネクタ本体及びこれにつながる電線の端部を取り囲む形状を有するかどうかを確認することによって行われることが好ましい。
【００１１】
このようにすれば、前記膨出部が前記コネクタ本体及びこれにつながる電線の端部を取り囲む形状を有するかどうかを確認することによって、前記電線を横断する部分のみならず、前記コネクタ本体及びこれにつながる電線の端部を取り囲む全域にわたってシールの良否の判断を直接行うことができる。したがって、より確実なシール性の判断を行うことができる。
【００１２】
また、本発明において、前記第二金型として、前記両シート体を熱プレスするときに前記第一金型の溝と対向する部分に形成された溝を有するものを用いることが好ましい。
【００１３】
このようにすれば、前記第一シート体及び前記第二シート体のいずれにも前記膨出部が形成されるので、防水コネクタの表裏いずれの側からも当該膨出部のシールを確認可能となる。
【００１４】
また、本発明において、前記第一金型又は前記第二金型の少なくとも一方の金型として、当該金型における前記電線と対向する部分にこの電線の外形に沿う形状の電線用凹部を有するものを用いることが好ましい。
【００１５】
このようにすれば、前記膨出部形成工程の熱プレス時における金型から前記電線に加わる力が小さくなることから、当該電線への負荷を低減させながら両シート体同士の接合を行うことができる。
【００１６】
また、本発明は、コネクタ本体とこのコネクタ本体を防水するための防水体とを備えた防水コネクタであって、前記防水体は、第一シート本体層と、この第一シート本体層との間で前記コネクタ本体及びこれにつながる電線の端部を被覆するように当該第一シート本体層に重ね合わされた第二シート本体層と、前記第一シート本体層と前記第二シート本体層との間に介在し、前記コネクタ本体及びこれにつながる電線の端部を取り囲む形状を有する接着剤層とからなり、両シート本体層の積層方向において前記接着剤層と重なる形状を有し、両シート本体層が互いに密着されてその内部をシール可能なシール部を有し、このシール部は、少なくとも前記電線を横断する部分に形成されており前記両シート本体層間に接着剤が満たされて外側に膨出した膨出部を含む防水コネクタを提供する。
【００１７】
この発明の防水コネクタは、前記シール部における前記膨出部が前記電線を横断する形状を有するので、その膨出部に沿って前記接着剤も連続しているから当該膨出部のシールは十分であると判断することができる。また、この防水コネクタでは、前記シール部のうちの前記両シート体と前記電線とが重なる部分のシールが最も困難となるので、この部分のシールが十分であると確認されれば、基本的にその他の部分のシールは十分であるとの推定が可能となる。つまり、この防水コネクタは、前記接着剤が充満した前記膨出部が、両シート体のシールが良好であることを視覚的に表示する品質保証機能を有する。
【００１８】
この場合において、前記膨出部は、前記コネクタ本体及びこれにつながる電線の端部を取り囲む形状を有することが好ましい。
【００１９】
このようにすれば、前記膨出部が前記コネクタ本体及びこれにつながる電線の端部を取り囲む形状を有するので、より確実なシール性が確保される。
【発明の効果】
【００２０】
以上のように、本発明によれば、容易に防水構造の構築及びその検査が可能な防水コネクタの製造方法を提供することができる。
【図面の簡単な説明】
【００２１】
【図１】本発明の実施形態に係るワイヤハーネスの製造過程において複数の電線の端末に共通のジョイントコネクタが接続された状態を示す斜視図である。
【図２】前記ジョイントコネクタがその防水のための防水体の内部に密封された防水コネクタを示す斜視図である。
【図３】前記電線の端末に装着された電線側端子が前記ジョイントコネクタに挿入される途中の状態を示す断面側面図である。
【図４】前記電線の端末に装着された電線側端子が前記ジョイントコネクタに完全に挿入された状態を示す断面側面図である。
【図５】前記ジョイントコネクタの底面図である。
【図６】前記ジョイントコネクタを密封する防水体を形成するための重ね合わせ工程を説明する斜視図である。
【図７】前記防水体の製造工程に用いる第一金型及び第二金型の斜視図である。
【図８】図７のＶＩＩＩ−ＶＩＩＩ線における断面図である。
【図９】前記防水コネクタの製造工程の概略を説明する図である。（ａ）は、重ね合わせ工程が終了した状態を示す平面図である。（ｂ）は、膨出部形成工程が終了した状態を示す平面図である。
【図１０】図９のＸ−Ｘ線における断面図である。
【図１１】互いに嵌合したオス型コネクタ及びメス型コネクタを防水体の内部に密封するための製造工程における膨出部形成工程が終了した状態を示す平面図である。
【発明を実施するための形態】
【００２２】
本発明の好ましい実施形態について、図１ないし図１０を参照しながら説明する。なお、図２及び図９では、説明のために、後述の膨出部５８にハッチングを施している。
【００２３】
図１は、この実施形態に係るワイヤハーネス１００と、当該ワイヤハーネス１００の短絡回路を形成するのに用いられるジョイントコネクタ（コネクタ本体）ＪＣとを示す。図２は、防水コネクタ１を示す。この防水コネクタ１は、前記ジョイントコネクタＪＣと、当該ジョイントコネクタＪＣを防水するための防水体５０とを有する。防水体５０は、互いに張り合わされる第一シート体５２Ａ及び第二シート体５２Ｂからなる。
【００２４】
この実施形態にかかる防水コネクタ１は、次の工程により製造される。
【００２５】
１）幹線１２の形成及び特定の電線１０の引き出し
複数本の電線１０が束ねられることにより幹線１２が形成されるとともに、その電線１０のうちの複数本（この実施形態では４本）の電線が分岐電線群１４として前記幹線１２から引き出される。幹線１２については、その周囲に例えばテープが螺旋状に巻き付けられることにより、電線１０が束ねられた状態が保持される。前記各電線１０には、いわゆる被覆電線が用いられ、当該電線１０は導体とこれを被覆する絶縁被覆とをそれぞれ有する。
【００２６】
この実施形態では、前記分岐電線群１４に含まれる電線１０を共通のジョイントコネクタＪＣに接続するために、予め当該電線１０の端末に図３及び図４に示すような電線側端子２０がそれぞれ装着されている。この電線側端子２０は、雌型の電気接触部２２と電線圧着部２４とを前後に有する。前記電気接触部２２は、中空角筒状の本体と、この本体内で撓み可能に設けられる接触ばね片２６とを有する。この電気接触部２２の底壁からは、前記ジョイントコネクタＪＣに係止されるための被係止片２８が外向きに突出している。前記分岐電線群１４に含まれる各電線１０の端末には、予め、その絶縁被覆を除去して導体を露出させる処理が施されており、前記電線圧着部２４は、前記導体の端末及びその近傍の絶縁被覆をそれぞれ抱き込むように曲げ加工されることにより、前記分岐電線群１４の端末に圧着され、その導体に電気的に接続されている。
【００２７】
２）ジョイントコネクタＪＣへの接続
前記各電線側端子２０が図３〜図５に示されるようなジョイントコネクタＪＣに接続されることにより、当該電線側端子２０がそれぞれ装着される電線１０同士の短絡が行われる。
【００２８】
この実施形態にかかるジョイントコネクタＪＣは、単一の短絡用導体３０と、この短絡用導体３０を保持するための絶縁ハウジング４０とを備える。前記短絡用導体３０は、導電材料からなり、前記各電線側端子２０に共通して接続されることによりこれらの電線側端子２０同士を短絡させる。前記絶縁ハウジング４０は、合成樹脂等の絶縁材料により全体が一体に成型され、前記短絡用導体３０を格納した状態で保持することが可能な形状、具体的には当該短絡用導体３０の厚み方向に偏平な形状を有する。
【００２９】
この実施形態に係る短絡用導体３０は、単一の金属板を適当な形状に打ち抜くことにより形成された短絡用金属板からなり、複数の嵌合部３２と、短絡部３４とを一体に有する。各嵌合部３２は、前記各電線側端子２０の雌型の電気接触部２２に嵌入可能な雄型（タブ）の嵌合部であり、これらの嵌合部３２がその幅方向と平行な方向、すなわち短絡用金属板の厚み方向と直交する方向に配列されている。前記短絡部３４は、前記嵌合部３２の配列方向に延び、この短絡部３４に前記各嵌合部３２の基端がつながっている。
【００３０】
前記絶縁ハウジング４０は、互いに平行な平板状の天壁４１及び底壁４２と、両壁４１，４２の幅方向両端部同士（すなわち左側端部同士及び右側端部同士）をそれぞれつなぐ一対の側壁４４とを一体に有する。これらの壁４１，４２，４４は絶縁ハウジング４０の外壁を構成する。
【００３１】
前記外壁の後端部（図５では右端部）は、導体保持部４３を構成する。この導体保持部４３内にその一端（図５では右端）に形成された開口部４３ａから前記短絡用導体３０の短絡部３４が圧入されることにより、当該短絡部３４が当該導体保持部４３に保持される。前記導体保持部４３は、前記短絡用導体３０の短絡部３４を保持する形状を有する。具体的には、前記短絡部３４よりも一回り大きく、前記短絡用導体３０の嵌合部３２の配列方向に延びる外形を有し、前記短絡部３４が後方から挿入可能な開口部４３ａを囲む。この開口部４３ａから前記短絡部３４が前記各嵌合部３２を前方に向けた姿勢で導体保持部４３内に圧入される。
【００３２】
前記導体保持部４３よりも前側の部分には、両側壁４４と平行な複数（図５では３つ）の仕切り壁４５がコネクタ幅方向に配列される。各仕切り壁４５は、これに隣接する他の仕切り壁４５または側壁４４との間にそれぞれ端子収容室４７を画定する。これらの端子収容室４７は、各嵌合部３２に対応して形成され、当該嵌合部３２に前記各電線側端子２０が嵌合されるのを許容するように当該電線側端子２０を受け入れる形状、具体的には前方に開口してその開口から前記電線側端子２０が挿入可能な形状を有する。各端子収容室４７内にはそれぞれ後方から前記短絡用導体３０の各嵌合部３２が突出しており、当該端子収容室４７に挿入された電線側端子２０の電気接触部２２が前記嵌合部３２と嵌合することにより当該電線側端子２０と短絡用導体３０とが電気的に導通する。
【００３３】
従って、このジョイントコネクタＪＣでは、その端子収容室４７内に前記分岐電線群１４に含まれる電線１０の端末の電線側端子２０が挿入されてそのまま短絡用導体３０の嵌合部３２に嵌合されることにより、当該短絡用導体３０を接続媒体とした電線側端子２０同士の短絡が達成される。すなわち、当該電線側端子２０がそれぞれ装着された複数の電線１０についての短絡回路が形成される。
【００３４】
３）防水体５０ないし防水コネクタ１の製造
前記ジョイントコネクタＪＣ及びこれにつながる電線１０（分岐電線群１４に含まれる電線１０）の端部１０ａの周囲に、図２に示すような防水体５０が形成され、この防水体５０の内部に前記ジョイントコネクタＪＣが密封されることにより、防水コネクタ１が製造される。この防水体５０は、例えば次の工程によって効率よく製造されることが可能である。
【００３５】
３−１）重ね合わせ工程
この工程は、図６に示すように、前記ジョイントコネクタＪＣの平面形状よりも十分大きな寸法を有する第一シート体５２Ａと、前記ジョイントコネクタＪＣ及びこれにつながる各電線１０の端部１０ａと、前記ジョイントコネクタＪＣの平面形状よりも十分大きな寸法を有する第二シート体５２Ｂとを重ね合わせる工程である。この重ね合わせは、前記ジョイントコネクタＪＣ及びこれにつながる電線の端部１０ａの周囲において前記第一シート体５２Ａの周縁部分５２ａと前記第二シート体５２Ｂの周縁部分５２ｂとが直接接触可能となるように行われる。そして、この重ね合わせ工程が終了した状態を図９（ａ）に示す。
【００３６】
この実施形態では、当該重ね合わせ工程のために、図７に示すような外縁が矩形状を呈する下金型（第一金型）６０が用いられる。
【００３７】
前記下金型６０は、平坦な第一上面６１及び平坦な第二上面６３と、第一溝６６とを有する。前記第一上面６１は、前記ジョイントコネクタＪＣ及びこれにつながる電線１０の端部１０ａを取り囲むことが可能な形状を有し、本実施形態では、矩形状を呈する。前記第二上面６３は、当該下金型６０の周縁に形成されており、前記第一上面６１よりも一回り大きく、かつ、前記第一上面６１を取り囲む形状を有する。この第二上面６３は、前記第一上面６１の外縁から離間した位置に形成されており、本実施形態では、矩形状を呈する。前記第一上面６１と前記第二上面６３とは、同一平面上に形成される。前記第一溝６６は、前記第一上面６１と前記第二上面６３との間の全域にわたって形成されており、前記第一上面６１及び前記第二上面６３が形成された面から窪んだ形状を有する。なお、この第一溝６６の形状としては、図８に示すようにその断面がＶ字状のものに限らず、下向きに凸となった湾曲形状や、矩形状のものであってもよい。そして、この第一上面６１に、前記電線１０の本数に応じた数（本実施形態では４箇所）の下金型第一電線用凹部６２が形成され、第二上面６３に、前記電線１０の本数に応じた数（本実施形態では４箇所）の下金型第二電線用凹部６４が形成されている。なお、これら下金型第一電線用凹部６２及び下金型第二電線用凹部６４は、いずれも省略が可能である。下金型第一電線用凹部６２及び下金型第二電線用凹部６４は、それぞれ前記電線１０の外形に沿う形状を有する。また、前記下金型第一電線用凹部６２は、前記第一上面６１における一方側（図７における右側）の短辺に形成されており、当該短辺を横断する形状を有する。前記下金型第二電線用凹部６４は、前記第二上面６３における前記下金型第一電線用凹部６２と隣接する側（図７における右側）の短辺に形成され、当該短辺を横断する形状を有する。前記下金型第一電線用凹部６２と前記下金型第二電線用凹部６４とは、同一直線上に位置する。
【００３８】
前記第一シート体５２Ａは、前記下金型６０の上面に、すなわち、前記第一上面６１及び前記第二上面６３を覆うように載置される。この第一シート体５２Ａは、例えば合成樹脂からなるシートにより構成される。
【００３９】
前記ジョイントコネクタＪＣ及びこれにつながる電線１０の端部１０ａは、その外側に前記第一シート体５２Ａがはみ出すような相対位置関係で当該第一シート体５２Ａ上に載置される。このとき、前記電線１０は、前記第一シート体５２Ａを介して前記下金型第一電線用凹部６２及び前記下金型第二電線用凹部６４の上に重なるように載置される。
【００４０】
前記第二シート体５２Ｂも、合成樹脂、例えば前記第一シート体５２Ａと同じ材質の合成樹脂からなるシートにより構成される。そして、当該第二シート体５２Ｂの周縁部分５２ｂが前記第一シート体５２Ａの周縁部分５２ａと直接接触するように当該第二シート体５２Ｂが前記ジョイントコネクタＪＣ及びこれにつながる電線１０の上に被せられる。
【００４１】
前記両シート体５２Ａ，５２Ｂの材質は特に限定されないが、少なくとも第二シート体５２Ｂは例えばポリ塩化ビニル、ポリエチレン、ポリエステルといった熱可塑性樹脂であることがより好ましい。このような熱可塑性樹脂からなる第二シート体５２Ｂは、加熱されることにより軟化するため、当該第二シート体５２Ｂの強度を確保するためにその厚みが比較的大きく設定されていても、すなわち当該第二シート体５２Ｂの常温での柔軟性が低い場合でも、その軟化によって第二シート体５２Ｂは前記ジョイントコネクタＪＣやこれにつながる電線１０の端部１０ａの形状に十分なじみながら前記第一シート体５２Ａの周縁部分５２ａや電線１０の表面と良好に接触することができる。
【００４２】
ここで、前記両シート体５２Ａ，５２Ｂのうちの少なくとも一方には、接着剤層を有するものが用いられる。図６に示す例では、第一シート体５２Ａ及び第二シート体５２Ｂの双方に接着剤層を含むものが用いられている。すなわち、第一シート体５２Ａは、例えば前記合成樹脂からなるシートの第一シート本体層５４Ａと、その裏面上に設けられる接着剤層５６Ａとを有し、第二シート体５２Ｂは、第二シート本体層５４Ｂと、その裏面上に設けられる接着剤層５６Ｂとを有する。各接着剤層５６Ａ，５６Ｂは、前記両シート体５２Ａ，５２Ｂが前記下金型６０の上面に載置された状態において、両シート体５２Ａ，５２Ｂの積層方向において前記第一溝６６と重なる部分を含むように設けられる。また、接着剤層を構成する接着剤５７としては、例えば、ブチルゴム系の粘着剤のような柔軟性に富むものや、エポキシ樹脂等の熱硬化性の液状剤、あるいは、ポリアミド樹脂のような熱可塑性樹脂が好適である。
【００４３】
３−２）膨出部形成工程
この工程は、前記両シート体５２Ａ，５２Ｂに、当該両シート体５２Ａ，５２Ｂ間に前記接着剤５７が満たされることによって外側に膨出した膨出部５８を形成する工程である。この実施形態では、当該膨出部形成工程のために、図７に示すように、第二シート体５２Ｂの上から前記第一溝６６を含む領域をプレス可能な形状、すなわち、前記下金型６０の上面をプレス可能な形状を有する上金型（第二金型）７０が用いられる。
【００４４】
この工程では、これら下金型６０と上金型７０とで両シート体５２Ａ，５２Ｂを熱プレスすることにより、当該両シート体５２Ａ，５２Ｂにおける前記下金型６０と前記上金型７０とに挟まれた部分同士を相互に密着させて、当該部分をその内部をシール可能なシール部とするとともに、両シート体５２Ａ，５２Ｂに前記膨出部５８を形成する。そして、この膨出部形成工程が終了した状態を図９（ｂ）に示す。なお、本実施形態では、前記下金型６０と前記上金型７０との間で両シート体５２Ａ，５２Ｂを熱プレスするために、下金型６０を変位させることなく上金型７０を下方に変位させる例について説明するが、上金型７０を変位させることなく下金型６０を上方に変位させてもよく、あるいは、両金型６０，７０を互いに近づく方向に変位させてもよい。
【００４５】
前記上金型７０は、前記下金型６０を上下に反転させた形状を有するので、その説明を簡略化する。この上金型７０は、平坦な第一下面７１及び平坦な第二下面７３と、第二溝７６とを有する。前記第一下面７１、前記第二下面７３及び前記第二溝７６は、それぞれ前記第一上面６１、前記第二上面６３及び前記第一溝６６と対をなす形状を有する。また、前記第一下面７１に形成された上金型第一電線用凹部７２は、前記下金型第一電線用凹部６２と対をなす形状を有しており、この下金型第一電線用凹部６２とともに、前記両シート体５２Ａ，５２Ｂ及び前記電線１０を挟持可能である。そして、前記第二下面７３に形成された上金型第二電線用凹部７４は、前記下金型第二電線用凹部６４と対をなす形状を有しており、この下金型第二電線用凹部６４とともに、前記両シート体５２Ａ，５２Ｂ及び前記電線１０を挟持可能である。
【００４６】
この上金型７０で前記第二シート体５２Ｂの上から熱プレスすることにより、両シート体５２Ａ，５２Ｂにおける前記第一上面６１と前記第一下面７１とに挟まれた部分、及び前記第二上面６３と第二下面７３とに挟まれた部分がそれぞれ互いに密着し、それぞれがその内部をシール可能なシール部となる。これと同時に、前記接着剤層５６Ａ，５６Ｂの接着剤５７が前記第一溝６６及び前記第二溝７６内へ押し付けられて当該第一溝６６及び第二溝７６により取り囲まれる形状に対応する形状に膨出する膨出部５８が形成される。図１０に、前記両シート体５２Ａ，５２Ｂにおける各シール部間に、その内部に前記接着剤５７が満たされることによって各シート体５２Ａ，５２Ｂに前記膨出部５８が形成された状態を示す。
【００４７】
このように、前記接着剤層５６Ａ，５６Ｂとしては、当該膨出部形成工程の熱プレス時に、前記両シート体５２Ａ，５２Ｂのうちの前記第一溝６６及び前記第二溝７６に挟まれる部分の内側に、その接着剤５７が満たされて当該シート体５２Ａ，５２Ｂを膨出させることが可能な厚さを有するものが用いられる。また、各接着剤層５６Ａ，５６Ｂは、当該膨出部形成工程の熱プレス時における前記上金型７０から前記電線１０に加わる力を吸収可能な厚さを有することが好適である。このようにすれば、前記下金型６０における前記下金型第一電線用凹部６２及び前記下金型第二電線用凹部６４、並びに前記上金型７０における前記上金型第一電線用凹部７２及び前記上金型第二電線用凹部７４を省略することが可能となる。
【００４８】
３−３）判定工程
この工程は、前記膨出部５８のシールの合否を判定する工程である。この工程は、前記膨出部形成工程の後、すなわち、図９（ｂ）の状態において、前記膨出部５８が前記電線１０を連続的に横断する形状を有するかどうかを確認することによって、前記膨出部５８のシールの合否を判定する。すなわち、前記膨出部５８が前記電線１０を連続して横断する形状を有していれば、その膨出部５８に沿って前記接着剤５７も連続しているから当該膨出部５８のシールは十分であると判断することができ、逆に、前記膨出部５８が、例えば前記電線１０を完全に横断することなく途中で途切れていれば、当該膨出部５８のシールは不十分であるとの判断が可能である。この防水コネクタ１では、前記両シート体５２Ａ，５２Ｂと前記電線１０とが重なる部分のシールが最も困難となるので、この部分のシールが十分であると確認されれば、基本的にその他の部分のシールは十分であるとの推定が可能となる。
【００４９】
本実施形態では、前記膨出部５８が、前記電線１０を横断する部分のみならず、前記ジョイントコネクタＪＣ及びこれにつながる電線１０の端部１０ａを取り囲む部分の全域にわたって形成されているかどうかを確認することによって、当該膨出部５８のシール性についてより高精度な判断を行っている。すなわち、前記膨出部５８が前記ジョイントコネクタＪＣ及びこれにつながる電線１０の端部１０ａを取り囲むように連続していれば、当該膨出部５８のシールは十分であると判断し、逆に、前記膨出部５８が、例えば前記ジョイントコネクタＪＣ及びこれにつながる電線１０の端部１０ａを完全に取り囲むことなく途中で途切れていれば、当該膨出部５８のシールは不十分であるとの判断している。
【００５０】
そして、この工程により前記膨出部５８のシールが十分であると判定された防水コネクタ１に関しては、基本的に製造後のエア漏れの検査は不要となる。
【００５１】
以上の工程により、前記両シート体５２Ａ，５２Ｂにおける前記膨出部５８で囲まれた領域の密封が完了する。すなわち、防水体５０及び防水コネクタ１が製造される。
【００５２】
以上示した方法は、従来のように袋状の防水体の開口を専用の治具で強制的に拡開しながら当該防水体内にジョイントコネクタを挿入するといった面倒な作業を要しない。作業者はきわめて負担の少ない工程で確実に短絡回路の形成及びその防水を実行できる。
【００５３】
この方法は、特に、前記電線側端子２０のうちの少なくとも一部について、当該電線側端子１０及びこれが装着される電線の導体が互いに異なる金属材料で構成される場合、例えば当該導体がアルミニウムまたはアルミニウム合金からなって前記電線側端子２０が銅または銅合金からなる場合に、顕著な優位性を発揮する。すなわち、互いに異種の金属材料で構成された電線側端子２０及びこれが装着される導体は、その接合部分に水分が浸入すると腐食が進行し易いから、当該電線側端子２０を含む短絡回路を確実に防水することは、接続信頼性の向上及び寿命の延長に大きく寄与する。
【００５４】
本発明において、用いられるジョイントコネクタの具体的な形状及び構造は特に限定されない。例えば、コネクタ端子が上下複数段にわたって配列されたものでもよいし、電線側端子２０及び短絡用導体３０がそれぞれ別のコネクタハウジングに保持されていてこれらのコネクタハウジング同士が嵌合されるものでもよい。さらには、防水体５０により密封するコネクタ本体としては、ジョイントコネクタＪＣに限らず、図１１に示すような、互いに嵌合したオス型コネクタＣ１及びメス型コネクタＣ２であってもよい。この場合、オス型コネクタＣ１及びこれにつながる電線の端部１０ａ、並びにメス型コネクタＣ２及びこれにつながる電線の端部１０ａの防水構造が構築される。
【００５５】
しかし、各図に示すようなジョイントコネクタＪＣは、その厚み方向の寸法が小さい偏平な形状を有するから、その厚み方向に当該ジョイントコネクタＪＣ及びこれにつながる電線１０と両シート体５２Ａ，５２Ｂとが重ね合わされることにより、当該両シート体５２Ａ，５２Ｂの周縁部分５２ａ，５２ｂ同士の密着及び当該周縁部分５２ａ，５２ｂと前記電線１０の表面との密着がより容易にかつ確実に行われる。
【符号の説明】
【００５６】
ＪＣ    ジョイントコネクタ（コネクタ本体）
１      防水コネクタ
１０    電線
１２    ワイヤハーネスの幹線
１４    分岐電線群
２０    電線側端子
３０    短絡用導体
３２    嵌合部
３４    短絡部
４０    絶縁ハウジング
４２    底壁
４３    導体保持部
４７    端子収容室
５０    防水体
５２Ａ  第一シート体
５２ａ  第一シート体の周縁部分
５２Ｂ  第二シート体
５２ｂ  第二シート体の周縁部分
５４Ａ  第一シート本体層
５４Ｂ  第二シート本体層
５６Ａ，５６Ｂ  接着剤層
５７    接着剤
５８    膨出部
６０    下金型（第一金型）
６１    第一上面
６２    下金型第一電線用凹部
６３    第二上面
６４    下金型第二電線用凹部
６６    第一溝
７０    上金型（第二金型）
７１    第一下面
７２    上金型第一電線用凹部
７３    第二下面
７４    上金型第二電線用凹部
７６    第二溝
１００  ワイヤハーネス
Ｃ１    オス型コネクタ
Ｃ２    メス型コネクタ
【図１】
2013134964.tif 000003
【図２】
2013134964.tif 000004
【図３】
2013134964.tif 000005
【図４】
2013134964.tif 000006
【図５】
2013134964.tif 000007
【図６】
2013134964.tif 000008
【図７】
2013134964.tif 000009
【図８】
2013134964.tif 000010
【図９】
2013134964.tif 000011
【図１０】
2013134964.tif 000012
【図１１】
2013134964.tif 000013